(57)【要約】【課題】合成樹脂で形成されたカム筒を用いたレンズ鏡筒において、光学配置の自由度の低下を抑え、強度も向上させ、光学性能を良好に維持したレンズ鏡筒を、生産性を低下させずに提供する。【解決手段】固定筒とこの固定筒に近接して配置されたカム筒と、このカム筒の内周面側に、移動部材のカムフォロアと嵌合するカム部が形成されているレンズ鏡筒において、前記カム筒には、前記移動部材のカムフォロアの前記カム部への嵌合を案内するガイド手段が施されていることを特徴とするレンズ鏡筒。【選択図】　図２
2004077512.tif 000002
【特許請求の範囲】
【請求項１】
固定筒とこの固定筒に近接して配置されたカム筒と、このカム筒の内周面側に、移動部材のカムフォロアと嵌合するカム部が形成されているレンズ鏡筒において、
前記カム筒には、前記移動部材のカムフォロアの前記カム部への嵌合を案内
するガイド手段が施されていることを特徴とするレンズ鏡筒。
【請求項２】
前記カム筒は合成樹脂材で形成されていて、前記ガイド手
段が一体的に形成されていることを特徴とする請求項１記載のレンズ鏡筒。
【請求項３】
前記カム筒は、前記固定筒に設けられた前記カム筒の回転
阻止部に当接する腕部を有し、この腕部に隣接して前記ガイド手段が設けられていることを特徴とする請求項１記載のレンズ鏡筒。
【発明の詳細な説明】
【０００１】
【発明の属する技術分野】
本発明は、レンズ鏡筒に関する。
【０００２】
【従来の技術】
従来のレンズ鏡筒は、特開２００１−９１８１３号に記載されているように、カム筒が合成樹脂で成形されると共に、カム筒の外周面側に、第１群レンズ用の突条カムが施されていて、直進筒のカムフォロアが嵌合している構成となっている。そして、ズーム操作環の回転に連動してカム筒が回転すると、第１群レンズが繰り出したり、繰り込んだりするように構成されている。
【０００３】
さらに従来の別のレンズ鏡筒では、カム筒をアルミニウム合金等の頑強な材料で円筒状に旋盤加工し、その後移動レンズ群のカム穴をフライス加工により施して製作していた。
【０００４】
【発明が解決しようとする課題】
上記のような従来例によれば、合成樹脂で形成されたカム筒の外周面側に突状カムが施されているが、内周面側には突状カムは施されておらず、カム筒の内側に配置された移動部材を移動案内するカム穴が複数設けれている。しかし合成樹脂製で形成されたカム筒に多数の長穴を形成することは、著しく強度を低下させることにつながり、カム軌跡の配置を制限するだけでなく、カム筒の変形により移動部材の移動精度が悪くなったり、レンズ鏡筒が受ける衝撃に対して弱くなりカム筒が破壊して作動不能に陥ったりするという問題がある。したがって、上記従来例の構成では、カム筒の内側にカムに係合する移動部材を配置する場合に、光学配置の自由度が低く、強度も低い構成にせざるをえない。
【０００５】
さらに、カム筒をアルミニウム合金棒もしくは管から切削により加工して製作する場合には、製作に大幅な時間がかかり、生産性が著しく悪かった。また、加工上、不要な材料の削り屑が大量に発生し、省資源性が極めて低かった。
【０００６】
このような問題を解決するために、カム筒を合成樹脂で形成するとともに、カム筒の内周面側に突状カムを施して、カム筒の内側にある移動部材のカムフォロアと嵌合させる構成とすることも考えられる。しかし、このような構成にすると、組立時、つまりカム筒の内周面側に施された突状カム部と移動部材のカムフォロアを嵌合させる際に、カム筒の外側からはそれらの状態を見ることが出来ないため、嵌合がうまくいかない場合があり、組立作業性を悪化させ、生産性を低下させる問題がある。
【０００７】
本発明は、以上のような問題に鑑みてなされたもので、合成樹脂で形成されたカム筒を用いたレンズ鏡筒においても、光学配置の自由度の低下を抑え、強度も向上させ、光学性能を良好に維持したレンズ鏡筒を、生産性を低下させずに提供することを目的としている。
【０００８】
【課題を解決するための手段】
上記課題を解決するため、本発明は、固定筒に近接して配置されたカム筒の内周面側に、移動部材のカムフォロアと嵌合するカム部が形成されているレンズ鏡筒において、カム筒には、移動部材のカムフォロアのカム部への嵌合を案内するガイド手段が施されていることを特徴とする。このような構成によれば、カム筒の内周面側に移動部材のカムフォロアと嵌合するカム部が形成されているレンズ鏡筒においても、光学配置の自由度の低下を抑え、移動部材の移動精度を良好に保ち、レンズ鏡筒が受ける衝撃に対しても強いレンズ鏡筒を、生産性を損なわずに提供できる。
【０００９】
また、カム筒を合成樹脂材で形成するとともに、ガイド手段を一体的に形成するようにしてもよい。このような構成によれば、切削等で加工される部材が大幅に削減できるので、より生産性が向上するとともに、省資源化にも貢献できる。
【００１０】
更に、固定筒に設けられたカム筒の回転阻止部に当接する当接腕部をカム筒に設け、この当接腕部に隣接してガイド手段を設けるようにしてもよい。このような構成によれば、当接腕部の根元にガイド手段が設けられているので、当接腕部に作用する外力に対して強度が向上し、上述したような効果をさらに高めることができる。
【００１１】
【発明の実施の形態】
以下に本発明の実施の形態を、図面を参照して詳細に説明する。
【００１２】
本発明の実施形態であるズームレンズ鏡筒の構造と動作について、図１〜１０を用いて説明する。
【００１３】
まず、個々の部材の説明をする。
【００１４】
図１は本発明のズームレンズ鏡筒の断面を簡略化して示した図であって、各移動群レンズと鏡筒が、望遠側に移動した状態となっている。図２〜図７は個々の部品の詳細図で、図８〜図１０は部品の嵌合の様子を示す模式図となっている。なお、説明をわかりやすくするために、簡略化された図である図１と同一の要素・機能部品は、図２〜図１０においても同一の記号を用いている。
【００１５】
１は固定筒であり、カム筒との嵌合部１ａと、第３群レンズおよび第５群レンズを直進案内する直進溝１ｂ−１〜１ｂ−３と、フォーカス環５の突起部５ａ−１〜５ａ−３（５ａ−３不図示）とバヨネット嵌合して、フォーカス環５を光軸周りに回転できるようにするためのガイド溝１ｃと、突起部５ａ−１〜５ａ−３をバヨネット嵌合させる際に被写体側から組み込めるようにするための溝部１ｑ−１〜１ｑ−３と、ズーム操作環６の突起部６ａ−１〜６ａ−３（６ａ−３不図示）とバヨネット嵌合して、ズーム操作環６を光軸周りに回転できるようにするためのガイド溝１ｄと、ズーム操作環６の内周面と嵌合するための嵌合突起部１ｐ−１、１ｐ−２と、突起部６ａ−１〜６ａ−３をバヨネット嵌合させる際に、撮像面側から組み込めるようにするための溝部１ｒ−１〜１ｒ−３（１ｒ−３不図示）とフォーカス出力ギヤの回転軸軸受１ｅ−ａ、１ｅ−ｂと、回路基板を取り付けるための取付部１ｆと、マウント２３を取り付けるための取付部１ｇ−１〜１ｇ−３（１ｇ−３不図示）と、第４群鏡筒１１を取り付けるための取り付け部１ｈ−１〜１ｈ−３（１ｈ−３不図示）と、カム筒２の回転を阻止するためのストッパ穴部１ｉと、カム筒２の光軸方向への移動を阻止すると共に光軸周りの回転を案内し、直進筒３を直進案内するためのガイド部材１５−１〜１５−３（１５−３不図示）を取り付けるための取付座部１ｊ−１〜１ｊ−３（１ｊ−３不図示）および取付穴部１ｋ−１〜１ｋ−３（１ｋ−３不図示）と、調整ピン部材１９−１〜１９−３（１９−３不図示）によって第２群鏡筒９の位置を調節してピント調整を行うための調整ピン部材１９の嵌合穴１ｍ−１〜１ｍ−３（１ｍ−３不図示）からなる。
【００１６】
２は樹脂成形により形成されたカム筒であり、外周面に直進筒３の光軸方向への進退を案内するためのカム凸部２ａ−１〜２ａ−３と、３群鏡筒１０の光軸方向への移動を案内するためのカム凸部２ｂ−１〜２ｂ−３と、５群鏡筒１２の光軸方向への移動を案内するためのカム穴部２ｃ−１〜２ｃ−３と、カム筒２の光軸方向への移動を阻止すると共に光軸周りの回転を案内するためのガイド長穴部２ｄ−１〜２ｄ−３と、連結部材１８を介してズーム操作環６と係合するための、係合溝２ｅ−１を有した腕部２ｅとからなる。また、カム筒２の被写体側には、カム筒２の変形を抑える第１の補強リング１７が、圧入または接着等の方法で結合されている。補強リング１７は、カム筒２よりも縦弾性係数が高い材質で形成されている。たとえば、カム筒２が樹脂材で、補強リング１７がカム筒２よりも縦弾性係数の高い樹脂材か金属材で形成されている。
【００１７】
３は直進筒であり、カム凸部２ａ−１〜２ａ−３と嵌合するカムフォロア部３ａ−１〜３ａ−３（３ａ−３不図示）と、ガイド部材１５−１〜１５−３（１５−３不図示）と係合し光軸に平行に施されたガイド溝３ｂ−１〜３ｂ−３（３ｂ−３不図示）と、メスヘリコイド筒４とヘリコイド結合し所定のリードを持って形成されたヘリコイド溝部３ｃ−１〜３ｃ−３（３ｃ−３不図示）とからなる。また、ガイド部材１５−１〜１５−３を固定筒に組み込む際の組込穴３ｄ−１〜３ｄ−３（３ｄ−３不図示）がある。
【００１８】
４はメスヘリコイド筒であり、フォーカス環５のガイド溝５ｂ−１〜５ｂ−３と係合する突起部４ａ−１〜４ａ−３（４ａ−３不図示）と、直進筒３とメスヘリコイド結合し、所定のリードを持って形成されたヘリコイド凸部４ｂ−１〜４ｂ−３（４ｂ−３不図示）と、調整ピン部材１６−１〜１６−３（１６−３不図示）によって第１群鏡筒８の位置を調節してピント調整を行うための調整ピン部材１６の嵌合穴４ｃ−１〜４ｃ−３（４ｃ−３不図示）と、前枠２２を締結するための取付穴部４ｄ−１〜４ｄ−３（４ｄ−３不図示）からなる。
【００１９】
５はフォーカス環であり、固定筒１のガイド溝１ｃと嵌合して、光軸周りに回転可能にするための突起部５ａ−１〜５ａ−３と、メスヘリコイド筒４の突起部４ａ−１〜４ａ−３と係合し、メスヘリコイド筒４を光軸方向に案内するためのガイド溝５ｂ−１〜５ｂ−３（５ｂ−３不図示）と、駆動源２５ａから複数の歯車を介して減速された出力軸部２５ｃと係合し、フォーカス環５を光軸周りに回転させるためのギヤ部５ｃとからなる。また、フォーカス環５には、フォーカス環５の、光軸に垂直な方向の変形を抑える第２の補強リング１４があり、フォーカス環５とカバー部材１３のスナップフィット結合もしくは接着固定もしくは締結等の方法により、フォーカス環５に一体的に保持されている。なお、補強リング１４は、フォーカス環５よりも縦弾性係数が高い材質で形成されている。
【００２０】
たとえば、フォーカス環５が樹脂材で、補強リング１４がフォーカス環５よりも縦弾性係数の高い樹脂材か金属材で形成されている。
【００２１】
２９は環状薄板であり、外部からのゴミの侵入を抑えている。
【００２２】
６はズーム操作環であり、固定筒１のガイド溝１ｄと嵌合し、ズーム操作環６を光軸周りに回転できるようにするための突起部６ａ−１〜６ａ−３と、カム筒２と係合してズーム操作環６の回転とともにカム筒２を連結回転させるための連結部材１８の取付穴部６ｂおよび取付座部６ｃとからなる。
【００２３】
７は外装環であり、装飾のために内部部品を覆うカバー部材である。
【００２４】
８は第１群鏡筒であり、メスヘリコイド筒４と嵌合する嵌合部８ａと、第１群レンズ１０１を保持する保持部８ｂと、頭部と軸部の軸中心が偏芯している調整ピン部材１６−１〜１６−３（１６−３不図示）の軸部が圧入される穴部８ｃ−１〜８ｃ−３（８ｃ−３不図示）とからなる。
【００２５】
９は第２群鏡筒であり、固定筒１と嵌合する嵌合軸部９ａと、第２群レンズ１０２を保持する保持部９ｂと、頭部と軸部の軸中心が偏芯している調整ピン部材１９−１〜１９−３（１９−３不図示）の軸部が圧入される穴部９ｃ−１〜９ｃ−３（９ｃ−３不図示）と、光軸方向に対してラジアル方向に延びて内部部品が露出しないようにツバ状に設けられたツバ部９ｄとからなる。
【００２６】
１０は第３群鏡筒であり、第３群レンズ１０３を保持する保持部１０ａと、固定筒１の直進溝１ｂ−１〜１ｂ−３に嵌合して第３群鏡筒を光軸方向に案内する第３群カムフォロア２０−１〜２０−３（２０−３不図示）の取付部１０ｂ−１〜１０ｂ−３（１０ｂ−３不図示）と、複数の絞り羽根２６ａとそれらを駆動する駆動部材２６ｂとカバー部材２６ｃからなる露光装置２６の固定部（不図示。通常、スナップフィット結合やネジによる締結等により固定される）からなる。
【００２７】
１１は第４群鏡筒であり、第４群レンズ１０４を保持する保持部１１ａと、固定筒１の穴部１ｈ−１〜１ｈ−３周辺まで延び、第４群鏡筒１１を固定筒１に締結するための締結片１１ｂ−１〜１１ｂ−３（１１ｂ−３不図示）とからなる。
【００２８】
１２は第５群鏡筒であり、第５群レンズ１０５を保持する保持部１２ａと、固定筒１の直進溝１ｂ−１〜１ｂ−３とカム筒２のカム穴部２ｃ−１〜２ｃ−３に嵌合して第５群鏡筒を光軸方向に案内する第５群カムフォロア２１ａ−１〜２１ａ−３（２１ａ−３不図示）の取付部１２ｂ−１〜１２ｂ−３（１２ｂ−３不図示）と、第４群鏡筒１１の締結片１１ｂ−１〜１１ｂ−３を逃げるように設けられた溝部１２ｃ−１〜１２ｃ−３（１２ｃ−３不図示）とからなる。
【００２９】
２２は前枠で、メスヘリコイド筒４との嵌合部２２ａと、メスヘリコイド筒４への締結のための座部２２ｂ−１〜２２ｂ−３（２２ｂ−３不図示）と、開口穴部２２ｃ−１〜２２ｃ−３（２２ｃ−３不図示）と、フィルタ等のアクセサリを装着するためのネジ部２２ｄと、フード等のアクセサリを装着するためのツバ部２２ｅがある。
【００３０】
２３はマウント部材で、開口部２３ａと、カメラ本体への取付のためのツバ部２３ｂと、
固定筒１への締結のための座部２３ｃ−１〜２３ｃ−３（２３ｃ−３不図示）とからなる。
【００３１】
２４はレンズ内の種々の駆動のための演算およびカメラとの情報伝達の処理を行う電気回路基板である。
【００３２】
２５はフォーカス環５を光軸周りに回転させるためのギヤユニットで、駆動源２５ａと、複数のギヤ部２５ｂと、それらにより減速された出力ギヤ２５ｃとからなる。また、出力ギヤ２５ｃは、フォーカス環５のギヤ部５ｃと係合している。また、駆動源２５ａと電気回路基板とは、フレキシブルプリント基板等で接続されていて、電気回路からの駆動信号により、駆動源を駆動させるようになっている。
【００３３】
露光装置２６には、片側が電気回路基板２４に接続されたフレキシブルプリント基板の他側が接続されており、電気回路からの駆動信号により、絞り羽根２６ａが駆動されるようになっている。
【００３４】
２７はフレキシブルプリント基板を光軸方向へ保持するための保持板で、第３群鏡筒１０に締結等の方法で取付けられ、保持板２７の長手方向端面とフレキシブルプリント基板の面が固定されていて、光学有効径内にフレキシブルプリント基板が侵入するのを防いでいる。
【００３５】
２８は接点部材で、その片端が電気回路基板２４に接続されている接点部２８ａを有し、カメラ本体に取り付けた時にカメラ本体の接点部と接触して、カメラ本体との情報伝達を行うようになっている。
【００３６】
以上が個々の部材の説明である。
【００３７】
次に、本発明に関わる主な部品の相互関係について説明する。
【００３８】
図２は、カム筒２と補強リング１７の分解斜視図である。
２ａ−１〜２ａ−３はカム凸部で、直進筒３に設けられた凹状のカムフォロア部３ａ−１〜３ａ−３（２ａ−１〜２ａ−３に対応した位置に３箇所設けられている）が嵌合し、カム筒２が光軸周りに回転することで、直進筒３が光軸方向に移動するように施されている。
【００３９】
２ｋ−１〜２ｋ−３（２ｋ−２不図示）は直進筒の３箇所のカムフォロア部３ａ−１〜３ａ−３の光軸に向く面が当接して嵌合する嵌合面である。
【００４０】
２ｂ−１〜２ｂ−３（２ｂ−３不図示）はカム凸部で、第３群鏡筒１０に締結された第３群カムフォロア２０の突起部２０ａ−１ａ〜２０ａ−３ａと２０ａ−１ｂ〜２０ａ−３ｂで形成された嵌合凹部２０ａ−１〜２０ａ−３と嵌合し、カム筒２が光軸周りに回転することで、第３群鏡筒１０が光軸方向に移動するように施されている。この嵌合過程については後述する。
【００４１】
２ｃ−１〜２ｃ−３は、カムの中心線方向から見た時の両端面がテーパー状に形成されたカム穴部で、第５群鏡筒１２に取り付けられた第５群カムフォロア２１ａ−１〜２１ａ−３（２１ａ−３不図示）の傾斜面２１ｂ−１〜２１ｂ−３（２１ｂ−３不図示）と嵌合し、カム筒２が光軸周りに回転することで、第５群鏡筒１２が光軸方向に移動するように施されている。なお、第５群カムフォロア２１ａ−１〜２１ａ−３を第５群鏡筒１２へ取り付ける際に、止ネジと第５群カムフォロア２１ａ−１〜２１ａ−３の間に設けられたコイルバネ３１−１〜３１−３（３１−３不図示）により、カム穴部２ｃ−１〜２ｃ−３と第５群カムフォロア２１ａ−１〜２１ａ−３のガタをなくしている。
【００４２】
２ｄ−１〜２ｄ−３は、ガイド長穴部で、固定筒に締結されたガイド部材１５−１〜１５−３（１５−３不図示）が嵌合し、カム筒２の光軸方向への移動を阻止するとともに、光軸周りの回転をガイドしている。なお、ガイド部材１５−１〜１５−３はそれらの先端付近で直進筒３のガイド溝３ｂ−１〜３ｂ−３（３ｂ−３不図示）にも嵌合しており、直進筒３の直進案内も行っている。
【００４３】
２ｅ−１は係合溝で、ズーム操作環６に締結された連結部材１８の先端部が嵌合している。そして、ズーム操作環６の光軸周りの回転に連動して、カム筒２が光軸周りに回転できるようになっている。
【００４４】
２ｐ−２、２ｅ−３は、ストッパ当接部で、固定筒１に設けられたストッパ部１ｉ−１、１ｉ−２（組立完成時のカム筒規制部になる）にそれぞれ当接し、カム筒２の光軸周りの両方向の回転を所定角度の範囲内で行えるようにしている。
【００４５】
２ｆ−１〜２ｆ−３は突起部で、カム筒２に対して補強リング１７の光軸方向の位置を被写体側に定めるストッパとなっている。また、突起部２ｆ−１〜２ｆ−３の内周側の面（光軸方向に向く面）が固定筒１の外周側の面と嵌合している。
【００４６】
２ｇ−１〜２ｇ−３は嵌合片であり、補強リング１７の外周面１７ａが嵌合し、補強リング１７の、光軸に垂直方向の位置を決めている。
【００４７】
２ｈ−１〜２ｈ−３は溝部で、上記の手段によりカム筒２に補強リング１７が位置決めされたあと、接着材を塗布して補強リング１７をカム筒２に固定するための塗布領域として設けられている。
【００４８】
カム筒２の突起部２ｆ−１〜２ｆ−３の内周面（光軸に向いた面）と固定筒１との嵌合と、カム筒２の光軸方向後端部内周面と固定筒１の嵌合部１ａとの嵌合によって、カム筒２の光軸方向の両端部が固定筒１に嵌合していることになり、カム筒２の光軸に垂直な方向の暴れを規制している。なお、補強リング１７の内周面１７ｂを固定筒１と嵌合させてもよい。
【００４９】
２ｉ−１〜２ｉ−３と２ｊ−１〜２ｊ−３は、樹脂で形成されたカム筒２を補強するための補強凸部である。
【００５０】
２ｍ−１〜２ｍ−３（２ｍ−３不図示）は穴部で、第２群鏡筒の調整ピン部材１９−１〜１９−３（１９−３不図示）を調整するための工具挿通用穴である。
【００５１】
図３は、フォーカス環５とカバー部材１３とそれらの内部部品の分解斜視図である。
【００５２】
５ｂ−１〜５ｂ−３はガイド溝で、光軸方向に直線的に施されていて、メスヘリコイド筒４の突起部４ａ−１〜４ａ−３（４ａ−３不図示）がそれぞれ嵌合することで、メスヘリコイド筒４を直進案内する。
【００５３】
５ｃはギヤ部で、内周面（光軸に向いた面）に歯形が形成されていて、ギヤユニット部２５の出力軸部２５ｃと係合し、駆動源２５ａからの駆動力により、フォーカス環５が光軸周りに回転するようになっている。
【００５４】
５ｄは、被写体側に設けられた取付係合部で、補強リング１４の内径部１４ａと嵌合部５ｄ−１が嵌合しながら、座部５ｄ−２に補強リング１４が突き当たり、補強リング１４の位置が被写体側に定まるようになっている。補強リング１４の面１４ｂには環状薄板２９が配置されている（組立性を考慮して、環状の一部に切り取り部２９ａがある）。また、取付係合部５ｄには、係合突部５ｄ−３が設けられていて、カバー部材１３に設けられた係合突起部１３ａ−１〜１３ａ−３（１３ａ−２、１３ａ−３不図示）とにより、カバー部材１３が、フォーカス環５にスナップフィット結合される。その際に補強リング１４と環状薄板２９の外周面１４ｃ、２９ｂもカバー部材１３の内周面１３ｂに嵌合し、フォーカス環５の被写体側に保持されるようになっている。
【００５５】
５ｅ−１、５ｅ−２はストッパ当接部であり、固定筒１に設けられたストッパ１ｎ−１、１ｎ−２（１ｎ−１不図示）に当接することで、フォーカス環５の光軸周りの回転を所定角度の範囲内で行えるようにしている。
【００５６】
５ｆは外観部に装飾として設けられたローレットである。
【００５７】
５ｇ−１〜５ｇ−３は長穴部で、第２群鏡筒の調整用工具挿通穴である。
【００５８】
ここで、カム筒２を固定筒１に組み込む際に、カム筒２の内周面側に設けられたカム凸部２ｂ−１〜２ｂ−３を第３群カムフォロア２０の嵌合凹部２０ａ−１〜２０ａ−３にそれぞれ嵌合させる構造について説明する。
【００５９】
図４〜図７は、カム筒２を固定筒１に組み込まれるまでの過程を示した状態図である。また図８〜図１０は、カム筒２を固定筒１に組み込まれるまでの、第３群カム部２ｂ−１〜２ｂ−３と第３群カムフォロア２０−１〜２０−３の嵌合過程を示す模式図である。なお、図８〜図１０は、３組ある内の１組の嵌合状態を示している。また、図中線Ｙは組立完成時の第３群カムフォロア２０−１の（中心）位置を示している。
【００６０】
ところで、第３群カム部２ｂ−１〜２ｂ−３を第３群カムフォロア２０−１〜２０−３に嵌合させて、カム筒２の実際の使用状態（組立完成状態）での回転範囲内で確実に嵌合状態を保つためには、カム筒２の実際の使用状態での回転範囲よりも余計に回転させた状態から、第３群カムフォロア２０−１〜２０−３と第３群カム部２ｂ−１〜２ｂ−３を嵌合させ始め、カム筒２の回転範囲内では、若干の嵌合の余裕をとる必要がある。その理由は、カム筒２の回転範囲内で組み込まれた場合、実使用状態で第３群カムフォロア２０−１〜２０−３が第３群カム部２ｂ−１〜２ｂ−３から外れてしまうことがあるからである。つまり実際のカム筒２の回転範囲内で組み込めるということは、カム筒２の回転範囲内で外れるということである。さらに詳しく説明すると、図７の状態（固定筒１のストッパ部１ｉ−１にカム筒２の腕部２ｅの当接面２ｐ−２がつき当たっている状態で、実際のカム筒の回転範囲の規制端）で第３群カムフォロア２０−１〜２０−３と第３群カム部２ｂ−１〜２ｂ−３を組込（嵌合）始めるように第３群カムフォロア２０−１〜２０−３と第３群カム部２ｂ−１〜２ｂ−３の位置関係を設定した場合、嵌合の余裕が全くないため、第３群カム部２ｂ−１〜２ｂ−３が少しでも短めに形成されていると、第３群カム部２ｂ−１〜２ｂ−３から第３群カムフォロア２０−１〜２０−３が外れたり、第３群カム部２ｂ−１〜２ｂ−３が少しでも長めに形成されていると第３群カム部２ｂ−１〜２ｂ−３が第３群カムフォロア２０−１〜２０−３につかえて組めなかったりすることがある。
【００６１】
したがって、図７が示すようなカム筒２の当接面２ｐ−２と固定筒１のストッパ部１ｉ−１の位置よりも、被写体側からみて反時計周りの方向に若干回転させた位置から、第３群カム部２ｂ−１〜２ｂ−３に第３群カムフォロア２０−１〜２０−３を嵌合させて、図７の状態においては、嵌合の余裕を持った状態で、確実に嵌合している必要がある。
【００６２】
まず、図４は、カム筒２を固定筒１に組み込み始めた状態の図である。この状態では、第３群カム部２ｂ−１〜２ｂ−３と第３群カムフォロア２０−１〜２０−３は嵌合していない。また、図４が示すように、カム筒２の端面２ｅ−２と固定筒１のストッパ部１ｉ−１の面が被写体側から見てほぼ一致した位置関係になっている。さらに、第３群カムフォロア２０−１〜２０−３は固定筒１のストッパ部１ｔ−１〜１ｔ−３（１ｔ−３不図示）に突き当たって、撮像面側に片寄せされている（第３群鏡筒１０の端面を突き当ててもよい）。これは例えば、第３群カムフォロア２０−１〜２０−３が第３群鏡筒１０に組み込まれた状態で被写体側を上に設置すれば、第３群鏡筒１０の自重で撮像面側に移動し、固定筒１のストッパ部１ｔ−１〜１ｔ−３に当たって片寄せされるという方法でよい。
【００６３】
次に、図５は、図４の状態から撮像面側へカム筒を移動させた状態の図である。そしてこの状態では、カム筒２のガイド手段としての端面２ｐ−１が、固定筒１の端面１ｓに当接すると共に、図８に示すように、第３群カム部２ｂ−１〜２ｂ−３の先端部と第３群カムフォロア２０−１〜２０−３は接近した位置関係になっている。また、この状態では第３群カムフォロア２０−１〜２０−３は、まだストッパ部１ｔ−１〜１ｔ−３に突き当たって片寄せされている状態である（図中線Ｙよりも下方（撮像面側）の位置）。
【００６４】
次に図６は、固定筒１の端面１ｓとガイド手段としての端面２ｐ−１の当接状態を維持しつつ、図５の状態から少し回転（被写体側から見て時計回りの方向へ回転）させた状態の図である。この状態では、図９が示すように、第３群カムの先端が細くなるように施されたガイド手段としての傾斜面２ｂ−１ａ〜２ｂ−３ａが、第３群カムフォロアの突起部２０ａ−１ａ〜２０ａ−３ａに当接し、ガイド手段としての傾斜面２ｂ−１〜２ｂ−３に沿って、第３群カムフォロア２０−１〜２０−３が若干被写体側（図中上方）に移動する。そしてさらにカム筒２を同方向に回転させると、突起部２０ａ−１ａ〜２０ａ−３ａがガイド手段としての傾斜面２ｂ−１ａ〜２ｂ−３ａにガイドされて、第３群カムフォロアの突起部２０ａ−１〜２０ａ−３が第３群カム部２ｂ−１〜２ｂ−３に嵌合する。
【００６５】
最後に図７は、図６の状態からさらに回転させた状態の図である。この状態では、カム筒２の腕部２ｅの当接面２ｐ−２と、固定筒１のストッパ部１ｉ−１が、被写体側から見て一致した位置関係になり、さらにカム筒２は撮像面側に移動する。
【００６６】
この状態でガイド部材１５−１〜１５−３を固定筒１に締結すれば、カム筒２の光軸方向への移動が阻止され、なおかつ、光軸周りの回転がガイドされる。そしてこの状態では、図１０が示すように、第３群カム部２ｂ−１〜２ｂ−３と第３群カムフォロア嵌合凹部２０ａ−１〜２０ａ−３が完全に嵌合しており、第３群カムフォロア２０−１〜２０−３とそれらが取り付けられた第３群鏡筒１０が所定位置（図中線Ｙの位置）に定まる。また、５群カムフォロア２１ａ−１〜２１ａ−３を第５群鏡筒１２に取り付けることによって、第５群鏡筒１２が所定位置に定まる。そうして、カム筒２を回転させた際に、第３群鏡筒１０と第５群鏡筒１２がそれぞれのカム軌跡にしたがって連動するようになる。また、カム筒２は、固定筒１のストッパ部１ｉ−１、１ｉ−２に、当接部２ｐ−２、２ｅ−３が当接することで、実際の使用範囲内に回転が制限される。
【００６７】
このように、ガイド手段としての端面２ｐ−１をガイド面として固定筒１の端面１ｓに当接させながら回転させることによって、第３群カム部２ｂ−１〜２ｂ−３と第３群カムフォロア２０−１〜２０−３を、カム筒２の回転範囲において確実に嵌合させることができる。なお、端面２ｐ−１と当接部２ｐ−２を持つ突出部２ｐは腕部２ｅの根元に形成されているので腕部２ｅの強度が向上し、ズーム操作環６の回転操作による外力が、連結部材１８を介してカム筒２の腕部２ｅに加わった際の腕部の変形を抑え、光学性能を維持できる効果がある。また、衝撃等により過大な外力に対しても、強度が向上し、耐衝撃性の高いレンズが供給できる効果がある。
【００６８】
以上が主な部品の相互関係の説明である。
【００６９】
次に、以上の構成よりなる本発明のレンズ鏡筒の各移動部材の動作を説明する。
【００７０】
ズーム操作環６を光軸周りに回転させると、ズーム操作環６に結合された連結部材１８に嵌合しているカム筒２も連動して回転する。カム筒２に施されたカム凸部２ａ−１〜２ａ−３に嵌合している直進筒３は、ガイド部材１５−１〜１５−３にガイドされながら、カム凸部２ａ−１〜２ａ−３のリードにしたがって、光軸方向に移動する。また、第３群鏡筒１０が取り付けられた第３群カムフォロア２０−１〜２０−３と第５群鏡筒１２が取り付けられた第５群カムフォロア２１−１〜２１−３は、それぞれカム筒２のカム凸部２ｂ−１〜２ｂ−３、カム穴部２ｃ−１〜２ｃ−３に嵌合しているので、カム筒２が光軸周りに回転することにより、第３群鏡筒１０と第５群鏡筒１２が、カム軌跡にしたがって光軸方向に移動し、ズーミングが行われる。
【００７１】
一方、フォーカス環５を光軸周りに回転させると、ガイド溝５ｂ−１〜５ｂ−３に嵌合しているメスヘリコイド筒４がいっしょに回転する。その際、メスヘリコイド筒４は、直進筒３のヘリコイド凹部３ｃ−１〜３ｃ−３と係合しているので、ヘリコイドのリードにしたがって光軸方向に移動し、フォーカシングが行われる。
【００７２】
【発明の効果】
本発明によれば、固定筒に近接して配置されたカム筒の内面周側に、移動部材のカムフォロアと嵌合するカム部が形成されているレンズ鏡筒において、カム筒には、移動部材のカムフォロアのカム部への嵌合を案内するガイド手段が形成されている。したがって、カム筒の内周面側に移動部材のカムフォロアと嵌合するカム部が形成されているレンズ鏡筒においても、光学配置の自由度の低下を抑え、移動部材の移動精度を良好に保ち、レンズ鏡筒が受ける衝撃に対しても強いレンズ鏡筒を、生産性を損なわずに提供できる。
【００７３】
またカム筒が合成樹脂材で形成されると共に、ガイド手段は一体的に形成されている。したがって、切削等で加工される部材が大幅に削減できるため、生産性が向上するとともに、省資源化にも貢献できる。
【００７４】
さらに、カム筒に設けられた腕部の根元にガイド部が設けられているので、腕部に作用する外力に対してカム筒の強度が向上する。
【図面の簡単な説明】
【図１】レンズ鏡筒の断面図
【図２】レンズ鏡筒のカム筒と補強リングの斜視図
【図３】環状部材（フォーカス環）と周辺部材の斜視図
【図４】固定筒とカム筒の組込状態を示す斜視図
【図５】固定筒とカム筒の組込状態を示す斜視図
【図６】固定筒とカム筒の組込状態を示す斜視図
【図７】固定筒とカム筒の組込状態を示す斜視図
【図８】第３群カム部と第３群カムフォロアの嵌合状態を示す模式図
【図９】第３群カム部と第３群カムフォロアの嵌合状態を示す模式図
【図１０】第３群カム部と第３群カムフォロアの嵌合状態を示す模式図
【符号の説明】
１　固定筒
２　カム筒
３　直進筒
４　メスヘリコイド筒
５　フォーカス環
１４、１７　補強リング
２ｂ−１〜２ｂ−３　第３群カム部
２０−１〜２０−３　第３群カムフォロア
２０ａ−１ａ〜２０ａ−３ａ　第３群カムフォロアの突起部
２ｐ−２、２ｅ−３　ストッパ当接部
２ｐ　突出部
２ｐ−１　　端面
１ｓ　端面
【図１】
2004077512.tif 000003
【図２】
2004077512.tif 000004
【図３】
2004077512.tif 000005
【図４】
2004077512.tif 000006
【図５】
2004077512.tif 000007
【図６】
2004077512.tif 000008
【図７】
2004077512.tif 000009
【図８】
2004077512.tif 000010
【図９】
2004077512.tif 000011
【図１０】
2004077512.tif 000012